(57)【要約】【課題】ブレードとハブとの接合部の強度を向上するとともに、ハブ内部に水が溜まらない構造の送風機を提供する。【解決手段】外部より回転力を受けて回転駆動されるハブ２の周囲に複数枚のブレード３を放射状に延び出してなる軸流または斜流ファンが上向きに送風するように配置された送風機において、ハブ２は上面を開口した空洞８を有する構造で、空洞８はハブ２の下面２ｂの方向に先細形状となり、下面２ｂに複数の穴６を有するとともに、空洞８の下面２ｂ側には底部となるような平面を有しないように形成した。この形状にすることにより、上流部の先細の形すなわち、下面２ｂに向かって先細の形をしているため、水が完全に底部に流れ込み、穴６から排出され易いとともに、ハブ２の円周面２ｃの厚みが増して、ブレード３とハブ２との接合部の強度を向上することができる。【選択図】図２
2010025038.tif 000002
【特許請求の範囲】
【請求項１】
外部より回転力を受けて回転駆動されるハブの周囲に複数枚のブレードを放射状に延び出してなる軸流または斜流ファンが上向きに送風するように配置された送風機において、前記ハブは上面を開口した空洞を有する構造で、前記空洞は前記ハブの下面の方向に先細形状となり、前記下面に複数の穴を有するとともに、前記空洞の前記下面側には底部となるような平面を有しないように形成したことを特徴とする送風機。
【請求項２】
前記ハブの上流部が回転中心に集束するような先細底部となり、前記底部に複数の穴を有することを特徴とする請求項１に記載の送風機。
【請求項３】
前記ハブの上流部が回転中心に流線形の形状で集束するような先細底部となり、前記底部に複数の穴を有することを特徴とする請求項１又は２に記載の送風機。
【請求項４】
前記ハブの上流部が先細底部となり、前記底部から側部にわたり複数の穴を有することを特徴とする請求項１から３のうちいずれか一項に記載の送風機。
【発明の詳細な説明】
【技術分野】
【０００１】
本発明は、エアコンの室外ユニットにおいて、上向き方向に吹出す形態の送風機の羽根車について、羽根車のハブ及びブレードの強度向上、ハブ水溜まりの除去及び送風機の性能向上に関するものである。
【背景技術】
【０００２】
図６は従来の送風機の羽根車１の平面図で、図７は従来の送風機の羽根車１の断面図である。また、図８は、従来の送風機を備えた空気調和機の室外ユニットの模式図である。
【０００３】
羽根車１は、内側を空洞化した略円柱または円錐台形のハブ２にブレード３が備えられている。羽根車１が回転して、室外ユニットの筐体４の側面から熱交換器５を通して空気を吸い込み、筐体４の上面から吹出す形態となる。ハブ２の下流側すなわち上面を覆い、下面は開口の状態になっており、ハブ内部に水が溜まらない構造になっている（例えば、特許文献１参照）。
【０００４】
また、上記のようにバブの下面が開口の状態になっていると、風上側に開口を向けることになるため送風抵抗になって効率が低下する。そこで、図７に記載の羽根車１において、ハブ２の下流側の上面２ａを開口の状態とし、上流側すなわち下面２ｂを覆い、そのフラットな下面２ｂに複数個の穴６を開けて、効率の低下を防ぐとともにハブ内部に水が溜まらない構造としているものがある。
【特許文献１】特開平７−１８９９８５号公報
【発明の開示】
【発明が解決しようとする課題】
【０００５】
従来技術では、羽根車のブレード、特に負荷のかかる前縁部とハブとの接合部の強度が保つことができず、大風量を必要とする高回転数などにおいては破壊の危険を有することがある。また、このような構造では十分に水が排出されず、雨水などによりハブ内部に水溜りが発生することになる。
【０００６】
本発明は上記従来の問題点を解決するもので、ブレードとハブとの接合部の強度を向上するとともに、ハブ内部に水が溜まらない構造の送風機を提供することを目的とする。
【課題を解決するための手段】
【０００７】
前記課題を解決するために、外部より回転力を受けて回転駆動されるハブと、同ハブの周囲に複数枚の翼型羽根を放射状に延び出してなる軸流または斜流ファンが上向きに吹き出されるように配置された形態において、ハブの上流部が先細底部となり、前記底部に複数の穴を有することを特徴とする送風機である。
【発明の効果】
【０００８】
ハブの周囲に複数枚の翼型羽根を放射状に延び出してなる軸流または斜流ファンが上向きに吹き出されるように配置された形態において、ハブの上流部が先細底部となり、前記底部に複数の穴を有する構造である。先細の形を呈しているため、水が完全に底部に流れ込み、穴から排出される。また、羽根車の上流側のハブが先細、特にアール形状の鈍頭にすることにより、送風性能が向上する。
【発明を実施するための最良の形態】
【０００９】
第１の発明は、外部より回転力を受けて回転駆動されるハブの周囲に複数枚のブレード
を放射状に延び出してなる軸流または斜流ファンが上向きに送風するように配置された送風機において、前記ハブは上面を開口した空洞を有する構造で、前記空洞は前記ハブの下面の方向に先細形状となり、前記下面に複数の穴を有するとともに、前記空洞の前記下面側には底部となるような平面を有しないように形成した。この形状にすることにより、上流部の先細の形すなわち、下方に向かって先細の形をしているため、水が完全に底部に流れ込み、穴から排出され易いとともに、ハブの円周面の厚みが増して、ブレードとハブとの接合部の強度を向上することができる。
【００１０】
第２の発明は、前記ハブの上流部が回転中心に集束するような先細底部となり、前記底部に複数の穴を有する。この形状にすることにより、風が流れる外側の羽根車の上流部のハブが先細となり送風性能が向上する。
【００１１】
第３の発明は、前記ハブの上流部が回転中心に流線形の形状で集束するような先細底部となり、前記底部に複数の穴を有する。風が流れる外側の羽根車の上流部のハブが先細であり、表面がアール形状となりハブ表面での剥離が軽減され送風性能が向上する。
【００１２】
第４の発明は、前記ハブの上流部が先細底部となり、前記底部から側部にわたり複数の穴を有する。この形態によって、水が重力によって穴から排出されるだけでなく、ファンの遠心力によって径方向に排出される。
【００１３】
以下に本発明の実施の形態を図１から図８までに沿って説明する。
【００１４】
（実施の形態１）
図１は、本発明の第１の実施の形態を有した送風機の羽根車の平面図である。図２は、同羽根車の回転断面図を示したものである。
【００１５】
送風機は、図示しないモータにより回転力を受けて回転駆動されるハブ２の周囲に羽根であるところの複数枚のブレード３を放射状に延び出してなる軸流ファンが上向きに送風するように配置されており、図８の従来の形態と同様である。ハブ２は円柱形状であり、モータの回転軸を固定するボス７の部分を除いて上面２ａを開口した空洞８が形成されている。
【００１６】
筐体４の側面から吸い込まれた空気は、熱交換器５を通過して、羽根車１によって、筐体４の上部から吹き出される。この筐体４に取り付けられた羽根車１のハブ２の内側の空洞８が下面２ｂ側の底部の方向に先細形状となり、下面２ｂに複数個の穴６が設けられている。すなわち、この空洞８は、下面２ｂ側において平面を有しないように形成されている。この構成によって、雨水などが、円滑に下面２ｂ側に流れこみ、そして下面２ｂ側にある穴６から完全に排出されて、ハブ２の内部に水が溜まることを防止することができる。
【００１７】
また、ハブ２のブレード３を固定する円周面２ｃが下面２ｂ側になるほど厚みが増し、ブレードとハブとの接合部の強度を向上することができる。
【００１８】
なお、下面２ｂの穴６はどのような形状でも良く、特に限定されるものではない。
【００１９】
（実施の形態２）
図３は、本発明の第２の実施の形態を有した羽根車１の回転断面図である。ハブ２の上流部が回転中心に集束するような先細となり、前記先細形状の底部に複数の穴６を有する。この形状にすることにより、風が流れる外側の羽根車１の上流部のハブが先細となり送風性能が向上する。
【００２０】
（実施の形態３）
図４は、本発明の第３の実施の形態を有した羽根車１の回転断面図である。ハブ２の上流部が回転中心に流線形の形状で集束するような先細となり、前記先細形状の底部に複数の穴６を有する。この形状にすることにより、風が流れる外側の羽根車１の上流部のハブ２での剥離が抑制されて送風性能が向上する。
【００２１】
（実施の形態４）
図５は、本発明の第４の実施の形態を有した羽根車１の回転断面図である。ハブ２の上流部が先細形状となり、前記先細形状の底部から側部にわたり複数の穴６を有する。この形態によって、水が重力によって穴から排出されるだけでなく、ファンの遠心力によって円滑に径方向に排出される。
【産業上の利用可能性】
【００２２】
以上のように、本発明にかかる送風機は、軸流または斜流ファンが上向きに吹き出されるように配置された形態において、ハブの上流部が先細底部となり、前記底部に複数の穴を有する構造で先細の形を呈して、水が完全に底部に流れ込み穴から排出されるようにしたもので、屋外の換気扇等の用途にも適用できる。
【図面の簡単な説明】
【００２３】
【図１】本発明の実施の形態１における送風機の羽根車の平面図
【図２】本発明の実施の形態１における送風機の羽根車の回転断面図
【図３】本発明の実施の形態２における送風機の羽根車の回転断面図
【図４】本発明の実施の形態３における送風機の羽根車の回転断面図
【図５】本発明の実施の形態４における送風機の羽根車の回転断面図
【図６】従来の送風機の羽根車の平面図
【図７】従来の送風機の羽根車の回転断面図
【図８】従来の送風機を搭載した室外ユニットの断面図
【符号の説明】
【００２４】
１  羽根車
２  ハブ
２ａ  上面
２ｂ  下面
２ｃ  円周面
３  ブレード（羽根）
４  筐体
５  熱交換器
６  穴
７  ボス
８  空洞
【図２】
2010025038.tif 000003
【図３】
2010025038.tif 000004
【図４】
2010025038.tif 000005
【図５】
2010025038.tif 000006
【図７】
2010025038.tif 000007
【図８】
2010025038.tif 000008
【図１】
2010025038.tif 000009
【図６】
2010025038.tif 000010